(57)【特許請求の範囲】
【請求項１】
垂直方向に隣接する略同一のパネルの下縁と組み合うようになった上縁を有し、さらに側縁に突き当てるようになった略平らなパネルの側縁とを有する建築用パネルであって、連続チャンネルが各側縁及び各上縁の全長にわたって延びている前記建築用パネルを複数枚使用した建造物の建築方法において、
（ａ）一方のパネルの側縁の連続的なチャンネルが、隣接したパネルの側縁の連続的なチャンネルに隣接してポストチャンネルを形成し、各隣接したパネルの上縁の連続的なチャンネルがビームチャンネルを形成するように、当接パネルの第１層を位置決めし、
（ｂ）前記ポストチャンネルと前記パネルの第１層のビームチャンネルの中に補強ロッドを位置決めし、
（ｃ）湿式コンクリートをパネルの第１の層のポストチャンネル及びビームチャンネルに注入し、
（ｄ）パネルの更なる層をパネルの第１層の上に垂直にかつこれと整合させて位置決めし、前記更なる層の側縁の連続的なチャンネルが、第１層のポストチャンネルの上方に垂直に連続するポストチャンネルを形成するように、
（ｅ）前記補強ロッドを、前記ポストチャンネル及び前記パネルの更なる層の上縁に形成されたビームチャンネルに配置し、
（ｆ）ステップ（ｄ）及びステップ（ｅ）を繰り返して必要とされる高さの壁を作り、
各建物パネルが、壁を付加的に強化するために、側縁の下方部分にある連続的なチャンネルの一端と側縁の下方部分の斜め反対の上縁にある連続的なチャンネルの一端とをつなげる対角線チャンネルを有し、隣接するパネルが、反対方向に走る対角線チャンネルを有するように、建物用パネルの壁の各層に配置したことを特徴とする構造物の建築方法。
【発明の詳細な説明】
発明の分野
本発明は、構造物の建築方法、さらに詳しくは、ポスト及びビーム構造の原理を応用したパネルを使用した構造物の建築方法に関する。
背景の説明
建築構造における材木のコストは高く、コンクリートを用いた建築方法は、建築中に、湿式コンクリートを支え、支持するためのかなりの量の機材が必要である。
発明の目的
したがって、本発明の目的は、建築構造がコンクリートのポストおよびビーム構造を用いることを可能とし、少なくとも上述の問題が解決を解決することができ、あるいは、少なくとも公衆の有用な代替建築構造を提供することのできる装置および方法を提供することにある。
本発明の他の目的は、実施態様のみを説明する以下の記載から明らかになるであろう。
発明の簡単な説明
本発明の一つの実施態様によれば、鉛直方向に隣接する実質的に同じパネルの下縁とかみ合う上縁を備えた建築用パネルであって、実質的に平面状で、あるパネルの一つの側縁を、水平方向に隣接する実質的に同じパネルの側縁に当接可能な複数の側縁を備え、連続したチャンネルが各側縁および前記上縁の長さにわたって延びている建築用パネルが提供される。
このパネルは、正方形でも長方形でもよい。連続したチャンネルは、パネルの前面と後面の中間に、形成することができる。
本発明の建築用パネルの好ましい形態においては、各側縁上の連続したチャンネルの深さは、パネルの幅の５％ないし１０％である。
本発明のさらに好ましい形態においては、上縁内の連続したチャンネルの深さは、パネルの高さの１０％ないし１５５である。
本発明に建築用パネルは、好ましくは、たとえば、ポリスチレンなどの耐久性があり、重量に軽い材料により作られる。
本発明の建築用パネルの好ましい形態においては、さらに、一つの側縁の下部にある連続したチャンネルの一端を、一つの側縁の前記下部と対角方向に反対側の上縁の実質的に一端にある連続したチャンネルと内部接続する対角チャンネルが設けられている。
本発明の他の実施態様においては、多数の建築用パネルを用いて形成されたポストおよぶビーム構造に組み込まれた壁が設けられ、各パネルが、各側縁および上縁の長さにわたって延びる連続したチャンネルを備え、各建築用パネルの前記連続したチャンネルが、前記壁内の隣接した各パネルの連続したチャンネルと内部接続しており、前記チャンネルが、ポストおよびビーム構造を形成するコンクリートによって満たされている。
パネルは正方形或いは長方形のいずれでもよい。連続チャンネルをパネルの前後面の略中ほどに形成することができる。
本発明のさらなる観点によれば、上縁が、鉛直方向に隣接した略同一のパネルの下縁と組み合わせるようになっており、側縁が略平らで、１つのパネルの側縁の隣接したパネルの側縁に対する当接を可能にする建築用パネルを採用し、連続チャンネルが各側縁の長さに亘って延びる建築構造の建築方法において、
（ａ）１つのパネルの側縁の連続チャンネルが、隣接したパネルの側縁の連続チャンネルに隣接して、ポストチャンネルを形成し、各隣接したパネルの上縁の連続チャンネルがビームチャンネルを形成するように、当接するパネルの第１層を位置決めし、
（ｂ）湿式コンクリートをパネルの第１層のポストチャンネルとビームチャンネルに注入し、
（ｃ）別の層のパネルの側縁の連続チャンネルが、前記第１層のポストチャンネルより鉛直方向上に続くポストチャンネルを形成するように、パネルの別の層をパネルの前記第１層より鉛直方向上に、且つ前記第１層と整列して位置決めし、
（ｄ）湿式コンクリートをパネルの別の層の上縁に形成されたポストチャンネル及びビームチャンネルに注入し、
（ｅ）工程（ｃ）及び（ｄ）を繰り返して、必要な高さに壁を製造する
建築方法が提供される。
本発明のこの観点の好ましい態様では、建築中、補強ロッドをポストチャンネル及びビームチャンネル内に位置決めすることができる。
本発明のこの観点のさらに好ましい態様では、各建築用パネルは、側縁の低部における連続チャンネルの一端と、側縁の低部に対して斜め反対の上縁の略一端における連続チャンネルの中間部とを相互に結ぶ斜めチャンネルをさらに有することができる。これらの斜めチャンネルは、本方法によって形成された壁に追加的な強化を形成する。隣接したパネルが反対方向に走る斜めチャンネルを有するように、壁の各層の建築用パネルを位置決めするのが好ましい。
パネルは正方形或いは長方形のいずれでもよい。連続チャンネルをパネルの前後面の略中ほどに形成することができる。
【図面の簡単な説明】
本発明の他の特徴は、添付の図面を参照した例示としての以下の説明から明らかになろう。ここに、
図１は、本発明の一つの局面に従う建築用パネルの斜視図である。
図２は、図１の建築用パネルの中央を通る断面図である。
図３は、図１の視点Ａ、Ｂ、Ｃ、Ｄから見たパネルの縁を示す。
図４は、壁構造において隣接する本発明の建築用パネルの側面図である。
図５は、壁構造において隣接する２枚の図１のパネルを上方から見た図である。
図６は、壁構造において垂直方向に隣接する２枚のパネルの中央部分を通る断面図である。
図７は、壁構造体の床又は基礎に隣接する図１の建築用パネルの下方部分を通る垂直断面図である。
図８は、本発明の建築用パネルを組み込んだ建築構造のコーナーを上方から見た図である。
図９は、本発明の建築用パネルを組み込んだ内壁交差部分を上方から見た図である。
図１０は、屋根フレーム構造に隣接する本発明の建築用パネルを通る垂直断面図である。
図１１は、変形例の屋根フレーム構造に隣接する本発明の建築用パネルを通る垂直断面図である。
図面の詳細な説明
本発明の装置の好ましい実施例によれば、図１ないし図３に示すように、好ましくはポリスチレンから作られた建築用パネル１が提供される。この好ましい実施例では、パネル１は約1.2ｍ2である。しかしながら、状況が異なれば、パネル１は別のサイズであってもよく、本発明の範囲は特定の寸法のパネルに制限されるものではない。
前面２及び後面３は本質的に平らである。上縁４は、他のパネルの下縁６と溝形接合部を形成する凹み縁６を有し、下縁６は凹み部分７を有する。側縁８、９は、隣接するパネルが当接して実質的に面一の前面及び後面を形成することができるように平らである。
上縁４は中央の上方チャンネル１０を有し、他方、側部チャンネル１１は、側縁８、９の中央部分に形成されている。上方チャンネル１０及び側部チャンネル１１の各々は、建築用パネル１に厚みの実質的に５０％の幅を有する。
図２を参照して、上方チャンネル１０の幅“ａ”は、建築用パネル１の高さ“ｂ”の少なくとも１０％であり、最大１５％である。各側部チャンネル１１の深さ“ｃ”は、パネル１の幅“ｄ”の５％〜１０％である。
対角線チャンネル１２は、上方チャンネル１０からパネル１に中心１３を通って側部チャンネル１１の下部１４まで延びている。この対角線チャンネル１２は、付加的な補強が必要な場合のオプション要素である。
本発明の建築用パネルを使用した本発明の建築方法を以下に説明する。
壁は、建築用パネルの一つの層を同時に使用して構築される。図７を参照して、下層１５のパネル１は、先に作られた基礎１６の上に位置決めされる。必要ならば、補強ロッド２１を使用してもよい。図４、図５に示すように、一連のパネル１は、先に作られた基礎１６の上で、側縁８と側面９とを突き合わせて位置決めされる。隣接するパネルは、図５に示すように、この隣接するパネル間でジョイン(join)１９を通過するワイヤ１８によって連結された当て板１７を用いて整列状態が保持される。
パネルの下層１５を所定位置に位置決めした状態で、上方チャンネル１０の中にコンクリートが流し込まれ、側部チャンネル１１及びパネル１の対角線チャンネル１２と共に上方チャンネル１０をコンクリートで満たす。図５に示すように、垂直に配置した補強ロッド２０を側部チャンネル１１の中に配置してもよく、また、水平に配置した補強ロッド２１を上方チャンネル１０の中に配置してもよい。
補強ロッドは、木材、スチールなどから作ることができる。
下層１５のパネル１は、図４に示すように、隣の各パネルのパネルの対角線チャンネル１２が反対方向に延びるように配置される。
下層１５が完成すると、パネル１の第２の層２２が下層１５の頂の上の位置決めされる。図４、図６を参照して、第２の層２２の下縁６の凹み部分７は、下層１５の上縁４の凹み縁５と溝形接合部を形成する。第２の層２２のパネルは下層１５のパネルの上に直接整列され、側部チャンネル１１が実質的に垂直な柱の形態で連続する。しかしながら、図４から分かるように、第２の層２２の各パネルは、対角線チャンネル１２がパネル層間で連続したラインを形成するように、第１の層１５の隣接するパネルに関して逆である。
パネルの新しい層を所定位置に配置したら、この新しい層の上方チャンネル１０、側部チャンネル１１及び対角線チャンネル１２にコンクリートが充填される。
この構築プロセスは、必要なだけ反復されて、要求高さの壁構造が完成する。
外側コーナーは、図８に示すようにして作られる。一方のパネル２４は、第２のパネル２５の側縁８がパネル２４の側部チャンネル１１の内面２６と実質的に整列するようにして、第２のパネル２５に対して直角に位置決めされる。パネル２４、２５を通過するワイヤ２８によって所定位置に保持された当て板２７を使用して、パネル２４、２５を所定位置に保持し、外側コーナー２９を形成する。関連するパネル層のチャンネルと同時にコーナーポスト領域３０がコンクリートで充填される。このコーナーポスト領域３０の中に補強ロッド３１を垂直に配置してもよく、また、パネル２４の上方チャンネル１０からコーナーポスト領域３０を通ってパネル２５の上方チャンネル１０まで水平に補強ロッド３２を配置してもよい。
壁交差部の構造は第９図に示されている。実質的に垂直なセグメント、パネルの厚さは、パネル３５の主壁のパネル３４の前面と後面に上チャンネル１０の内面３６の深さまで切り込みが入れられている。交差パネル３８の端３７がこのセグメントに差し込まれている。交差パネル３８の側チャンネル１１はパネル３４の上チャンネル１０に遮られる。垂直に配置された補強ロッド３１および水平に配置された補強ロッド３２を組み入れてもよい。
屋根フレーミングを、第１０図および第１１図に示すように壁構造のパネルの頂部層４０に取り付けてもよい。第１０では、亜鉛めっきプレート“Ｔ”ブラケット４１が隣接したパネルの間の側チャンネル１１に取り付けられている。このプレート“Ｔ”ブラケット４１は補強ロッド４２に接合されている。ジョイストハンガー４３がプレート“Ｔ”ブラケット４１の突出部分４４に取り付けられており、プレート“Ｔ”ブラケット４１の突出部分４４はコートスクリュー４６によってまぐさ即ちリンテル(lintel)４５に取り付けられている。
別の例として、第１１図に示すように、パネルの頂部層４０の補強された頂部チャンネル４７が垂直に配置された補強ロッド４９のねじ付き延長部を介して取り付けられたピッチングプレート４８の支持体を形成する。ギャングネールトラス（gang nail truss）５０がピッチングプレート４８上に支持されている。本発明の建築用パネルを用いて作られた壁の外面仕上げ材は、しっくい或いはその他の仕上げ材であるのがよく、内面は随意にはギブボード仕上げ材(gib-board finish)を含んでもよい。
本発明の方法および装置を使用して、３階の高さまで多階構造を建てることができる。
かくして、本発明の建築用パネルを用いると、本発明の方法により、ホストおよびビーム構造を含む壁を建てることができ、この方法は、内壁および外壁の結合および屋根の結合を可能にするようになっている。本方法は、建造中実質的な型枠を必要とせず、したがって、建築コストを節約する。
本発明を例示として特に添付図面に示された好ましい実施形態に言及して説明してきたけれども、本願明細書に記載した発明の範囲から逸脱することなく種々の変形および変更をなすことができることを理解すべきである。例えば、説明した建築用パネルはポリスチレンでできているが、その他の耐久性のある軽量の材料を用いてもよい。さらに、上チャンネルおよび側チャンネルに形成されたコンクリート構造は、それぞれ、パネルの壁の水平ブレーシングおよび垂直ブレーシングを提供する。斜めブレーシングを追加するのは随意である。内側チャンネルの斜め十字形状を有する各パネルによって斜めブレーシングを両方向に設けてもよい。
【図１】
0003919218.tif 000002
【図２】
0003919218.tif 000003
【図３】
0003919218.tif 000004
【図４】
0003919218.tif 000005
【図５】
0003919218.tif 000006
【図６】
0003919218.tif 000007
【図７】
0003919218.tif 000008
【図８】
0003919218.tif 000009
【図９】
0003919218.tif 000010
【図１０】
0003919218.tif 000011
【図１１】
0003919218.tif 000012